(57)【要約】【課題】撮影画像から文字情報や図形情報等の読み取りを容易とする。【解決手段】ＳＴ１〜ＳＴ２の処理で、撮影画像の画像データを画像メモリに記憶させる。ＳＴ３で変換処理モードが選択されたと判別したとき、ＳＴ４では、色の変換を行う色範囲や変換後の色をユーザに設定させる。色範囲の設定は、文字情報や図形情報の表示色を基準として明るさや彩度，色相を可変して設定する。ＳＴ５に示す変換処理ループを行い、画像メモリに記憶されている画素毎のデータを順次読み出し、読み出した画素の色が、色範囲に含まれるとＳＴ５-1で判別されたとき、ＳＴ５-2の処理によって、読み出した画素をＳＴ４で設定された色に変換して、画像メモリの元の位置に書き戻す。文字情報や図形情報の表示色を基準として設定された色範囲内の画素が、設定された色に変換されて、情報の読み取りが容易となる。【選択図】        図２
2006050159.tif 000002
【特許請求の範囲】
【請求項１】
撮影画像の画像データを記憶する記憶工程と、
色の変換を行う範囲を示す色範囲と変換後の色を設定する変換処理設定工程と、
前記記憶した撮影画像の画像データを画素毎に読み出し、該画素の色が前記色範囲に含まれるとき該画素を前記設定された色に変換する変換処理工程を有する
ことを特徴とする撮影画像処理方法。
【請求項２】
前記変換処理設定工程では、前記色範囲を複数設定し、該色範囲毎に変換後の色を設定する
することを特徴とする請求項１記載の撮影画像処理方法。
【請求項３】
前記変換処理設定工程では、所望の色に対して指定された明るさの範囲を前記色範囲として設定する
ことを特徴とする請求項１記載の撮影画像処理方法。
【請求項４】
前記色の変換が行われた前記撮影画像の画像データを記録媒体に記録する記録工程を有する
ことを特徴とする請求項１記載の撮影画像処理方法。
【請求項５】
撮影画像の画像データを生成するカメラにおいて、
撮影画像の画像データを記憶する記憶手段と、
色の変換を行う範囲を示す色範囲と変換後の色を設定する変換処理設定手段と、
前記記憶された撮影画像の画像データを画素毎に読み出し、該画素の色が前記色範囲に含まれるとき該画素を前記設定された色に変換する変換処理手段とを有する
ことを特徴とするカメラ。
【請求項６】
前記変換処理設定手段では、複数の前記色範囲と該色範囲毎に変換後の色を設定可能とする
ことを特徴とする請求項５記載のカメラ。
【請求項７】
前記変換処理設定手段では、所望の色に対して指定された明るさの範囲を前記色範囲として設定する
ことを特徴とする請求項５記載のカメラ。
【請求項８】
前記記憶手段は、複数の撮像画像の画像データを記憶可能とし、
前記変換処理手段は、色の変換が行われた撮像画像の画像データを、前記記憶手段の色の変換が行われる前の撮像画像の画像データが記憶された領域とは異なる領域に記憶させる
ことを特徴とする請求項５記載のカメラ。
【請求項９】
前記変換処理手段によって色の変換が行われた撮像画像の画像データを記録媒体に記録する記録手段を設けた
ことを特徴とする請求項５記載のカメラ。
【発明の詳細な説明】
【技術分野】
【０００１】
この発明は、撮影画像処理方法およびカメラに関する。詳しくは、撮影画像の画像データを記憶させて、この記憶された撮影画像の画像データを画素毎に読み出し、読み出した画素の色が設定された色範囲に含まれるとき、この読み出した画素を設定された色に変換することで、撮影画像から文字情報や図形情報等の読み取りを容易とし、撮影画像のデータ量も削減も可能とするものである。
【背景技術】
【０００２】
近年、ＣＣＤ（Charged Coupled Device）等の半導体撮像素子を用いて光電変換を行い、被写体像に応じた画像信号を生成して半導体メモリ等の記録媒体に記録したり、記録媒体に記録した画像を再生できるカメラが普及している。
【０００３】
このようなカメラにおいて、特許文献１の発明では、人物の露出した肌の部分は温度が高いことから、赤外画像を撮像して高輝度領域に基づき人物の肌色領域の検出を行い、検出された肌色領域に対して色補正を行うことで、人物の肌色を十分に美しい色で再現する処理がなされている。
【０００４】
【特許文献１】特開２００４−２０７９５３号公報
【発明の開示】
【発明が解決しようとする課題】
【０００５】
ところで、書籍や黒板、ホワイトボードなどに書かれている文字情報や図形情報をカメラで撮影して記録媒体に静止画として記録する場合、色の再現性よりも文字情報や図形情報を読み取り易く記録できることが好ましい。例えば、書籍や黒板、ホワイトボード等に照射される光の方向や強度などに係らず、撮影画像における文字情報や図形情報を読み取り易い状態で記録できることが好ましい。
【０００６】
また、カメラでは、撮影画像における解像度や色再現性等の向上が図られており、撮影画像のデータ量は大きくなっている。しかし、文字情報や図形情報等を撮影したときは、撮影画像から文字情報や図形情報を読み取ることができれば良く、撮影画像のデータ量を必要以上に大きくする必要はない。
【０００７】
そこで、この発明では、撮影画像から文字情報や図形情報等を容易に読み取ることができ、撮影画像のデータ量も小さくできる撮影画像処理方法およびカメラを提供するものである。
【課題を解決するための手段】
【０００８】
この発明に係る撮影画像処理方法は、撮影画像の画像データを記憶する記憶工程と、色の変換を行う範囲を示す色範囲と変換後の色を設定する変換処理設定工程と、記憶した撮影画像の画像データを画素毎に読み出し、該画素の色が色範囲に含まれるとき該画素を設定された色に変換する変換処理工程とを有するものである。
【０００９】
また、この発明に係るカメラは、撮影画像の画像データを生成するカメラにおいて、撮影画像の画像データを記憶する記憶手段と、色の変換を行う範囲を示す色範囲と変換後の色を設定する変換処理設定手段と、記憶された撮影画像の画像データを画素毎に読み出し、該画素の色が色範囲に含まれるとき該画素を設定された色に変換する変換処理手段とを有するものである。
【００１０】
この発明においては、撮影画像の画像データが記憶手段に記憶されて、この記憶された撮影画像の画像データを画素毎に読み出されて、読み出された画素の色が色範囲、所望の色に対して指定された明るさの範囲に含まれるとき設定された色に変換されて例えば記憶手段の色の変換が行われる前の撮像画像の画像データが記憶された領域とは異なる領域に記憶される。また、記憶された色変換後の画像データが記録手段によって記録媒体に記録される。
【発明の効果】
【００１１】
この発明によれば、撮影画像の画像データが記憶手段に記憶されて、この記憶された撮影画像の画像データが画素毎に読み出されて、この画素の色が色範囲に含まれるとき設定された色に変換される。このため、照射される光の方向や強さによって文字情報や図形情報の色の属性例えば明るさが変化しても、設定された色範囲に含まれるときは所定の色に変換されるので、文字情報や図形情報が所定の色で表示されることとなり読み取りを容易に行うことができる。また、設定された色範囲に含まれる色が所定の色に変換されるので色数が少なくなり、画像データのデータ量を減少させることが可能となる。また、複数の色範囲と色範囲毎に変換後の色が設定されるので、文字情報や図形情報が複数の色で示された場合にも対応できる。
【００１２】
また、色の変換が行われた撮像画像の画像データが、色の変換が行われる前の撮像画像の画像データが記憶された領域とは異なる領域に記憶されるので、複数の記憶手段を設ける必要がない。さらに、色変換前と色変換後の撮像画像の画像データが個別に記憶されるので、色範囲や変換後の色を変えて繰り返すことにより、文字情報や図形情報の読み取りを容易に行うことができるように色範囲や変換後の色の設定を行うことができる。また、色変換処理が行われた撮像画像が記録手段によって記録媒体に記録されるので、文字情報や図形情報を読み取り易い状態として撮影画像を記録しておくことができる。
【発明を実施するための最良の形態】
【００１３】
以下、図を参照しながら、この発明の実施の形態について説明する。図１はカメラ１０の概略構成を示すブロック図である。レンズ群１１は、複数のレンズで構成されており、焦点距離が固定あるいは可変のものが用いられる。このレンズ群１１は、後述するレンズ/アイリス駆動部２２のフォーカスモータによって駆動されて、フォーカス調整動作が行われる。また、焦点距離が可変できるようになされている場合、レンズ/アイリス駆動部２２のズームモータによって駆動されて、画角調整動作が行われる。アイリス１２は、後述するレンズ/アイリス駆動部２２によって駆動されて、開口径が例えば連続的に可変できるようになされている。メカシャッタ１３は、撮像部１４の入射光路に進退自在な遮光板から成り、後述する制御部４０によって制御される。
【００１４】
撮像部１４は、光電変換素子（フォトセンサ）が２次元的に配列された撮像素子、例えばＣＣＤ(Charge Coupled Device)型やＭＯＳ(Metal Oxide Semiconductor)型などの撮像素子が用いられる。この撮像素子は、各センサで生成した電荷をシャッタゲートパルスによって掃き捨てて、電荷の蓄積時間を制御できる、所謂電子シャッタ機能を有している。レンズ群１１やアイリス１２，メカシャッタ１３を介して光が入射されて、撮像素子の撮像面に被写体像が結像されと、撮像部１４では被写体像に応じた撮像信号を生成してアナログ信号処理部１５に供給する。この撮像部１４は、後述する撮像駆動部２３によって駆動される。
【００１５】
アナログ信号処理部１５は、撮像部１４から供給された撮像信号の増幅処理、相関二重サンプリング法等によるノイズ低減処理、ダイナミックレンジの圧縮処理等を行い、Ａ／Ｄ変換部１６に供給する。Ａ／Ｄ変換部１６は、アナログ信号処理部１５で信号処理が行われた撮像信号をディジタル信号に変換して画像データとしてディジタル信号処理部１７に供給する。
【００１６】
ディジタル信号処理部１７は、供給された画像データに対して、シャープネスやコントラストおよび彩度等調整する画質調整処理、ホワイトバランス調整処理、撮影画像の明るさやフォーカスの検出、撮影画像の画像サイズ調整等を必要に応じて行う。このディジタル信号処理部１７で得られた画像データは、バス２０を介して表示部２１に供給される。また、後述する操作部２５でシャッタ操作が行われたときには、シャッタ操作が行われたときの撮影画像の画像データを記憶手段である画像メモリ１８に一時記憶させる。その後、画像メモリ１８に記憶された画像データは、ディジタル信号処理部１７によって読み出されて、バス２０を介して表示部２１やメモリカードインタフェース（メモリカードＩ／Ｆ）３１、外部インタフェース（外部Ｉ／Ｆ）３２に供給される。なお、メモリカードＩ／Ｆ３１は、記録手段であるメモリカード５１をカメラ１０と接続するためのインタフェースである。また、外部Ｉ／Ｆ３２は、外部機器、例えばコンピュータ装置やプリンタ装置等とカメラ１０を接続するためのインタフェースである。
【００１７】
また、変換処理手段であるディジタル信号処理部１７は、後述する操作部２５によって変換処理モードが選択されたとき、画像メモリ１８に記憶されている撮影画像の画像データを画素毎に読み出し、読み出した画素が設定されている色範囲に属するとき、設定されている色に変換する。なお、色の変換を行う範囲を示す色範囲と変換後の色は、操作部２５によって設定される。
【００１８】
さらに、ディジタル信号処理部１７では、メモリカード５１に画像データを記録するとき、あるいは外部Ｉ／Ｆ３２から出力するとき、データ量が少なくなるようにデータ圧縮処理を行うものとしたり、データ圧縮された画像データのデータ伸長処理を行うものとしても良い。
【００１９】
表示部２１は、バス２０を介して供給された画像データに基づき、被写体を撮影するときの構図などを確認するためのモニタ画像や、シャッタ操作によって撮影された撮影画像の表示を行う。また、メモリカード５１に記録された撮影画像を表示して、記録された撮影画像の確認を可能とする。さらに、表示部２１では種々のメニュー表示を行い、メニュー表示に基づいて操作部２５を操作することにより、カメラ１０の種々の設定を容易に行えるものとする。
【００２０】
レンズ/アイリス駆動部２２は、制御部４０からのレンズ/アイリス制御信号に基づきレンズ群１１やアイリス１２を駆動して、画角調整動作、フォーカス調整動作、アイリス１２の開口径制御動作を行う。
【００２１】
撮像駆動部２３は、制御部４０から供給された撮像制御信号に基づき、撮像部１４で必要とされる種々のタイミング信号を生成して撮像部１４に供給し、撮像信号の生成動作を制御する。また、電子シャッタ動作を行わせる。ストロボ部２４は、制御部４０からの発光制御信号に基づき、シャッタのタイミングに合わせてストロボ発光を行う。
【００２２】
操作部２５は、ユーザ操作に応じた操作信号を制御部４０に供給して、カメラ１０の設定、例えば撮影モードや露出モードの設定、撮影画像を記録する際の条件設定、撮影画像の再生指示等を行う。また操作部２５には、シャッタスイッチが設けられており、シャッタスイッチでシャッタ操作が行われたときは、シャッタ操作に応じた操作信号を制御部４０に供給して、被写体の撮影を行う。また、操作部２５は変換処理設定手段として機能するものであり、変換処理モードがユーザによって選択されたとき、色の変換を行う範囲を示す色範囲と変換後の色の設定をユーザ操作に応じて行う。この色範囲は、読み取る情報の表示色を基準として、色の属性すなわち明るさや彩度，色相のいずれか１つあるいは複数を可変して色範囲を設定する。
【００２３】
記録手段を構成するメモリカードＩ／Ｆ３１は、上述のようにカメラ１０と記録媒体であるメモリカード５１を接続するためのインタフェースであり、メモリカードＩ／Ｆ３１を介して撮影画像をメモリカード５１に記録する。さらに、メモリカード５１に記録されている画像データを、メモリカードＩ／Ｆ３１を介して読み出し可能とする。なお、記録手段は、メモリカードＩ／Ｆ３１と制御部４０で構成される。
【００２４】
ＲＯＭ(Read Only Memory)３５は、カメラ１０を動作させるためのプログラムを記憶する。また、ＲＯＭ３５として書き換え可能な不揮発性メモリ、例えばＥＥＰＲＯＭ(Electronically Erasable and Programmable Read Only Memory)等が用いられているときは、ユーザが設定した種々の設定情報等を記憶する。ＲＡＭ(Random Access Memory)３６は、カメラ１０の動作中に用いられる種々のデータ等を一時格納するためのワークメモリである。
【００２５】
電源部３７は、内蔵されたバッテリあるいは外部から供給された電力を用いて、カメラ１０の各部に対して電源供給を行う。また、電源部３７は、バッテリの残量を検出して検出結果を示す残量検出信号を制御部４０に供給する。
【００２６】
制御部４０は、操作部２５からの操作信号に基づいて各部を制御することにより、ユーザ操作に応じてカメラ１０を動作させる。例えば、操作部２５によって動作開始操作が行われたとき、制御部４０はメカシャッタ１３によって入射光路を開放して撮像部１４を駆動し、表示部２１でモニタ画像を表示させる。また、撮影モードや露出モードに応じてアイリス１２の制御を切り換える。その後、操作部２５のシャッタスイッチが半押し状態とされたときは、ディジタル信号処理部１７でのフォーカス検出結果に基づきレンズ群１１を制御してフォーカス調整を行い、被写体に焦点を合わせる。シャッタスイッチが深押し状態とされたときは、撮像部１４で電子シャッタによる電荷蓄積を開始して、シャッタ速度に応じた露光期間経過後にメカシャッタ１３によって入射光路を遮断する。この露光期間中に蓄積された電荷に基づき撮像信号を生成して、信号処理を行い、得られた撮影画像の画像データを画像メモリ１８に記憶させる。また、制御部４０は、ディジタル信号処理部１７で検出された撮影画像の明るさに基づき、アイリス１２や撮像部１４の電子シャッタ機能を制御して、露出が適正となるように露光制御を行う。
【００２７】
さらに、制御部４０は、操作部２５からの操作信号に基づき、動作モードとして変換処理モードがユーザによって選択されたことを検出したとき、ディジタル信号処理部１７を制御して、画像メモリ１８に記憶されている画像データからユーザによって設定された色範囲に含まれる画像データを、設定した色に変換する処理を行う。
【００２８】
また、制御部４０は、ディジタル信号処理部１７を制御して、画像メモリ１８に記憶されている画像データを表示部２１やメモリカードＩ／Ｆ３１を介してメモリカード５１に供給させる。
【００２９】
次に、カメラ１０の動作について、図２のフローチャートを用いて説明する。ステップＳＴ１で制御部４０は、撮影画像の画像データを生成させる。画像データの生成では、シャッタ操作が行われたとき、メカシャッタ１３と撮像駆動部２３を制御して、メカシャッタ１３で入射光路を開放する。その後、入射光路の開放からシャッタ期間が経過したとき撮像部１４で電荷の読み出しを行い撮像信号を出力させる。なお、シャッタ操作が行われていないときは、メカシャッタ１３によって入射光路を開放し、撮像駆動部２３によって撮像部１４を駆動して、例えば撮像部１４での電荷の読み出しをフレーム単位で繰り返し行い撮像信号を出力させて、この撮像信号に基づいたモニタ画像を表示部２１に表示させることで、被写体を撮影するときの被写体の位置や画角等を確認することができる。
【００３０】
ステップＳＴ２で制御部４０は、撮影画像の画像データを画像メモリ１８に保持させる。すなわち、撮像部１４で生成された撮像信号に対してアナログ信号処理やディジタル信号処理を行い、信号処理後に得られた画像データを画像メモリ１８に記憶させる。
【００３１】
ステップＳＴ３で制御部４０は、変換処理モードが選択されているか否かを判別し、変換処理モードが選択されているときはステップＳＴ４に進む。また、変換処理モードが選択されていないときはステップＳＴ６に進む。
【００３２】
ステップＳＴ４で制御部４０は、変換処理の設定を行う。すなわち、色の変換を行う色範囲や変換後の色をユーザに設定させてステップＳＴ５に進む。この色範囲の設定では、文字情報や図形情報の表示色を基準として色の属性、すなわち明るさや彩度，色相を可変して色範囲を設定する。
【００３３】
制御部４０は、ディジタル信号処理部１７を制御してステップＳＴ５に示す変換処理ループを行わせる。この変換処理ループは、画像メモリ１８に記憶されている撮像画像のデータを画素毎に全て読み出すまで繰り返し、変換処理ループが終了したときにはステップＳＴ６に進む。
【００３４】
この変換処理ループにおいて、ステップＳＴ５-1でディジタル信号処理部１７は、読み出した画素がステップＳＴ４で設定された色範囲に含まれるか否かを判別する。ここで、読み出した画素が設定された色範囲に含まれると判別したとき、ステップＳＴ５-2の処理を行い、読み出した画素のデータをステップＳＴ４で設定された色のデータに変換して、画像メモリ１８の元の位置に書き戻す。
【００３５】
ステップＳＴ６で制御部４０は、画像メモリ１８に記憶されている画像データを読み出して、カードＩ／Ｆ３１を介してメモリカード５１に供給して、メモリカード５１に記録する。
【００３６】
ところで、図２に示すフローチャートでは、ステップＳＴ４で設定された色範囲に含まれる画素を設定した色に自動的に置き換えるものであるが、色範囲や変換後の色を変更しながら変換処理を繰り返し行うことができれば、文字情報や図形情報の読み取りを容易に行うことができるように色範囲や色の設定を最適化できる。そこで、色範囲や変換後の色を変更しながら変換処理を繰り返すことができるものとしたときの動作を図３のフローチャートに示す。
【００３７】
ステップＳＴ１１で制御部４０は、ステップＳＴ１と同様に撮影画像の画像データの生成を行う。ステップＳＴ１２で制御部４０は、ステップＳＴ２と同様にして、画像データを画像メモリ１８に記憶させる。ステップＳＴ１３で制御部４０は、変換処理モードが選択されているか否かを判別し、変換処理モードが選択されているときはステップＳＴ１４に進む。また、変換処理モードが選択されていないときはステップＳＴ１９に進む。
【００３８】
ステップＳＴ１４で制御部４０は、ステップＳＴ４と同様に変換処理の設定を行いステップＳＴ１５に進む。
【００３９】
制御部４０は、ディジタル信号処理部１７を制御してステップＳＴ５と同様に、ステップＳＴ１５に示す変換処理ループを行わせる。この変換処理ループは、画像メモリ１８に記憶されている撮像画像のデータを画素毎に全て読み出すまで繰り返し、変換処理ループが終了したときにはステップＳＴ１６に進む。
【００４０】
この変換処理ループにおいて、ステップＳＴ１５-1でディジタル信号処理部１７は、読み出した画素の色がステップＳＴ１４で設定された色範囲に含まれるか否かを判別する。ここで、読み出した画素の色が設定された色範囲に含まれると判別したとき、ステップＳＴ１５-2の処理を行い、読み出した画素のデータをステップＳＴ１４で設定された色のデータに変換する。ステップＳＴ１５-3でディジタル信号処理部１７は、画像メモリ１８から読み出された画素のデータおよび色の変換が行われたときには色変換後のデータを、撮像画像が記録されている領域とは異なる画像メモリ１８の領域（以下「処理画像領域」という）に順次記憶させる。
【００４１】
ステップＳＴ１６で制御部４０は、変換処理後の撮影画像を表示させる。すなわち、ディジタル信号処理部１７を制御して、ステップＳＴ１５の変換処理ループによって画像メモリ１８の処理画像領域から画像データを読み出して表示部２１に供給させて、変換処理後の撮影画像を表示部２１に表示させる。
【００４２】
ステップＳＴ１７で制御部４０は、操作部２５からの操作信号によって、変換処理を確定する操作が行われたか否かを判別する。ここで、変換処理を確定する操作が行われないときはステップＳＴ１４に戻り、変換処理の設定を再度行うことができるようにする。また、変換処理を確定する操作が行われたときは、ステップＳＴ１８に進む。
【００４３】
ステップＳＴ１８で制御部４０は、変換処理後の撮影画像の記録処理を行う。この記録処理では、画像メモリ１８の処理画像領域に記憶されている変換処理後の画像データを読み出して、カードＩ／Ｆ３１を介してメモリカード５１に供給して、メモリカード５１に記録する。
【００４４】
また、ステップＳＴ１２からステップＳＴ１９に進むと、制御部４０は撮影画像の記録処理を行う。この記録処理では、画像メモリ１８に記憶されている変換処理前の画像データを読み出して、カードＩ／Ｆ３１を介してメモリカード５１に供給して、メモリカード５１に記録する。
【００４５】
このように、上述の形態によれば、設定した色範囲に含まれる画素が、設定されている色に変換される。このため、例えばホワイトボードに対して、重要な内容に関しては赤色で文字や図形を記載し、通常の内容に関しては黒色で文字や図形を記載して議事録をとり、このホワイトボードに記載された議事録をカメラ１０で撮影する。ここで、読み取る情報の色すなわち黒色や赤色を基準として色範囲を設定しておき、黒色を基準とした色範囲に含まれる画素のデータは所定の明度の黒色、赤色を基準とした色範囲に含まれる画素のデータは所定の明度，彩度，色相の赤色に変換すれば、照射される光の方向や強度などにより、黒色や赤色の文字や図形の明るさ等が部分的に変化しても、設定した色に変換されるので、情報を容易に読み取ることが可能となる。また、設定した色範囲に含まれる画素が設定した色に変更されるので文字情報や図形情報の色数が少なくなり、データ圧縮処理後のデータ量を削減することも可能となる。
【００４６】
また、変換処理前の画像データと変換処理後の画像データを画像メモリ１８に記憶させるようにすれば、色範囲や変換後の色の変更を行いながら変換処理を繰り返し行うことができるので、色範囲や変換後の色の設定を最適化して、文字情報や図形情報の読み取りを容易とすることができる。さらに、色変換処理が行われた撮像画像が記録媒体に記録されるので、文字情報や図形情報を読み取り易い状態として撮影画像の記録を行うことができる。
【産業上の利用可能性】
【００４７】
以上のように、本発明に係る撮影画像処理方法およびカメラは、文字情報や図形情報等を撮像して、この文字情報や図形情報を容易に読み取ることができるように記録する場合に好適である。
【図面の簡単な説明】
【００４８】
【図１】カメラの概略構成を示すブロック図である。
【図２】カメラの動作を示すフローチャートである。
【図３】カメラの他の動作を示すフローチャートである。
【符号の説明】
【００４９】
１０・・・カメラ、１１・・・レンズ群、１２・・・アイリス、１３・・・メカシャッタ、１４・・・撮像部、１５・・・アナログ信号処理部、１６・・・Ａ／Ｄ変換部、１７・・・ディジタル信号処理部、１８・・・画像メモリ、２０・・・バス、２１・・・表示部、２２・・・アイリス駆動部、２３・・・撮像駆動部、２４・・・ストロボ部、２５・・・操作部、３１・・・メモリカードＩ／Ｆ、３２・・・外部Ｉ／Ｆ、３５・・・ＲＯＭ、３６・・・ＲＡＭ、３７・・・電源部、４０・・・制御部、５１・・・メモリカード
【図１】
2006050159.tif 000003
【図２】
2006050159.tif 000004
【図３】
2006050159.tif 000005